(57)【特許請求の範囲】
【請求項１】
その基端に取っ手（３０）を有する支持片（３１，３１ａ）と、前記支持片の概略中央部に形成され、前記支持片を鋏動作可能に支持するヒンジ軸（３２）とを含む包茎手術用鋏において、
上記支持片（３１，３１ａ）の先端に形成され、中空部（１２，２２）を区画するとともに、一部が切開された第１及び第２貫通部（１５，２５；７４，８４）を有するリング形状の第１及び第２圧搾部（１０，２０）と、
前記包茎手術用鋏が閉じられた時に互いに係合する係止段（３４ａ）を有する締結部（３４）とを備えることを特徴とする包茎手術用鋏。
【請求項２】
上記第１及び第２貫通部は、一定間隔をおいて形成された複数の切欠部（７４，８４）を含み、第１及び第２圧搾部には、隣接する切欠部（７４，８４）間に突出部（８７）が形成されることを特徴とする請求項１記載の包茎手術用鋏。
【請求項３】
上記第１及び第２圧搾部は、上記切欠部（７４，８４）の内方に縫合糸（５０）を案内するための案内溝（８５）を有し、上記突出部（８７）は滑り防止のための滑り防止溝（７６，８６）を有することを特徴とする請求項２記載の包茎手術用鋏。
【発明の詳細な説明】
【０００１】
【発明の属する技術分野】
本発明は男性性器の亀頭を過度に覆っている包皮を除去するための包茎手術用鋏に関するものである。
【０００２】
【従来の技術】
公知の包茎手術方法は、施術者とその補助者が一組をなして亀頭を覆っている過包皮を切除して除去した後、その切除した部位を縫合するものであり、手術時間は３０分程度である。
【０００３】
従来の方法は、公知の手術用鋏を使用して施術するので施術時に少なくとも１名またはそれ以上の補助者が必要であるので、人手が多く所要されるという短所があり、また手術時、出血が多いという短所があった。
【０００４】
【発明が解決しようとする課題】
本発明は従来の問題点を解決するものであって、手術時包皮を圧搾させることにより出血がなく、また手術時間を短縮させ得るように構成した包茎手術用鋏を提供することにその目的がある。
【０００５】
【課題を解決するための手段】
上記の如き目的を達成するために、本発明は、その基端に取っ手を有する支持片と、前記支持片の概略中央部に形成され、前記支持片を鋏動作可能に支持するヒンジ軸とを含む包茎手術用鋏を提供する。上記支持片の先端には、中空部を区画するとともに、一部が切開された第１及び第２貫通部を有するリング形状の第１及び第２圧搾部が形成されており、前記包茎手術用鋏は、閉じられた時に互いに係合する係止段を有する締結部をさらに備える。
【０００６】
一態様では、上記第１及び第２貫通部は、一定間隔をおいて形成された複数の切欠部を含み、第１及び第２圧搾部には、隣接する切欠部間に突出部が形成される。上記第１及び第２圧搾部は、上記切欠部の内方に縫合糸を案内するための案内溝を有し、上記突出部は滑り防止のための滑り防止溝を有することが好ましい。
【０００７】
【発明の実施の形態】
以下、添付図面を参照して本発明の第１実施形態に従う包茎手術用鋏を詳細に説明する。図１に示すように、本発明の第１実施形態の包茎手術用鋏は、全体的にリング形状の第１及び第２圧搾部１０，２０と、第１及び第２圧搾部１０，２０を相互に密着及び離隔可能に作動させる取っ手３０とから構成される。
【０００８】
第１圧搾部１０の中央には中空部１２が形成され、中空部１２の周りには一定間隔で離隔された複数の第１貫通部１５が形成される。各第１貫通部１５は中空部１２の周りに形成される縫合孔１４と、縫合孔１４からその外周方向に傾斜して開放形成される第１切欠溝１４ａとからなる。そして第１圧搾部１０において、第１切欠溝１４ａの形成によって、隣接する２つの縫合孔１４間の形状は概略鋸の刃のように形状となる。
【０００９】
このように形成される第１圧搾部１０と対向される第２圧搾部２０の構造は同一である。即ち、第２圧搾部２０にも中空部２２が形成され、中空部２２の周りに一定間隔離隔された複数の第２貫通部２５が形成される。第２貫通部２５は中空部２２の周りに形成される縫合孔２４と、縫合孔２４から外周方向に傾斜して開放形成される第２切欠溝２４ａとからなる。但し、第１圧搾部１０と第２圧搾部２０とは、第２切欠溝２４ａと第１切欠溝１４ａの傾斜の方向が互いに反対である点で異なる。例えば、第１切欠溝１４ａが反時計方向に傾斜して形成されたとすれば、第２切欠溝２４ａは時計方向に傾斜して形成される。
【００１０】
取っ手３０の一対の支持片３１、３１ａは中間部のヒンジ部３２によって旋回可能であり、支持片３１、３１ａの各先端に第１及び第２圧搾部１０、２０が一体に形成されている。
【００１１】
また、取っ手３０の基端にはリング形状の把持部３３、３３ａが形成される。一対の把持部３３、３３ａの内側、即ち、支持片３１、３１ａの内側に締結部３４が互いに対向するように形成される。締結部３４には階段式の係止段３４ａが形成される。一対の把持部３３、３３ａが閉じられて密着された時、一対の把持部３３、３３ａの締結部３４の係止段３４ａが互いに係合される。この係合により、一対の支持片３１、３１ａが不用意に開くのが防止される。また、支持片３１、３１ａが閉じられた時、第１及び第２圧搾部１０、２０は互いに密着する。
【００１２】
以下、図１の包茎手術用鋏を使用した施術例を図２乃至４を参照して説明する。
図２は圧搾部１０，２０が閉じられた状態を示し、過包皮は閉じられた圧搾部１０，２０の外側に突出している。図３は突出された過包皮が切除された状態を示す。図４は性器の過包皮が除去され、包皮が縫合された状態を示す。
【００１３】
先ず、図２に示されたとおり、男性の性器４０を中空部１２、２２に貫通させ上側中空部１２上に亀頭だけ露出させる。そして性器の包皮４２を第１、２圧搾部１０、２０の間に挟むことで、包皮の一部が第１及び２圧搾部１０、２０の外側に突出される。第１及び第２圧搾部１０、２０の外側に突出された包皮が切除されるべき部分である。この包皮４２の部分を切除手段（未図示）で切除すれば図３のような状態となる。包皮の切除時には、第１、２圧搾部１０、２０が包皮を加圧しているので出血はおこらない。
【００１４】
そして図４に示されたとおり、適切な縫合手段（未図示）を利用して縫合糸５０を第１及び第２貫通部１５、２５の縫合孔１４、２４に貫通して、包皮を縫合する。このとき、縫合糸５０は第１及び第２切欠溝１４ａ，２４ａの傾斜面に沿って自然に縫合される。例えば、縫合糸（５０）が上側の縫合孔１４を貫通して、第１切欠溝１４ａの傾斜面に沿って抜け出されながら性器４０の切除された包皮を下方に折るようになる。さらに、縫合糸（５０）は下側の縫合孔２４に第２切欠溝２４ａの傾斜面に沿って縫合孔２４に入り、縫合孔２４を貫通することで、表皮を上方に再び折るようになる。
【００１５】
上記の過程を繰り返して性器４０の外周面に沿って行うことで、表皮が縫合される。
縫合が終わると、締結部３４による締結を解除し、取っ手３０を開き、第１及び第２圧搾部１０、２０を開いて施術は終了する。
【００１６】
図５は本発明の第２実施形態に従う包茎手術用鋏を示す。
本実施形態では第１及び第２貫通部１５，２５の代わりに、第１及び第２圧搾部１０、２０の外周の一部に複数の切欠部７４、８４が形成される。各々の切欠部７４、８４には、その内方に縫合糸５０を案内するための案内溝８５が形成される。また、各切欠部７４、８４の間に形成される突出部８７にも直線形の滑り防止溝８６が形成される。滑り防止溝８６は径方向に対して傾斜して形成してもよい。
【００１７】
図６は図５において第１及び第２圧搾部１０、２０の内面形状の変更例を示す。
図６の第１及び第２圧搾部１０、２０では切欠部７４、８４は“U”字形状に形成されている。切欠部７４、８４の切欠溝の深さは１．５乃至３．０mmの間であるのが好ましい。
【００１８】
第２実施形態の包茎手術用鋏を用いた施術は図１の包茎手術用鋏の例と似ている。図７に示すとおり、縫合糸５０が第１圧搾部１０の切欠部７４に挿入され、切除された包皮を縫合し、第２圧搾部２０の切欠部８４に抜け出るように通される。更に縫合糸５０は隣接の第２圧搾部２０する切欠部８４に挿入されて切除された包皮を縫合し、第１圧搾部１０の切欠部７４に抜け出るように通される。
【００１９】
図８は本発明の第３実施形態に従う包茎手術用鋏を示す。図示したとおり、第３実施形態の包茎手術用鋏では、貫通部１５，２５，７４，８４は省略されており、圧搾具１０，２０は単純なリング形状に形成されている。このような構成によれば包皮を切断後、施術者が任意の位置で縫合することができる。
【００２０】
本発明による包茎手術用鋏を使用すれば全体的な施術時間は大略５分程度であり、補助者なしで施術者が一人でも十分に施術が可能であるという長所がある。
一方、子供と成人、個人により性器の大きさが異なるので圧搾部、圧搾部に形成される中空部及び圧搾部の大きさを多様にすることができる。例えば、本発明による包茎手術用鋏の圧搾部は１０乃至５０mm程度の外径に多様に形成され得る。また、上記圧搾部の多様な外径に従って中空部の大きさも１０乃至４０mmの間で多様に形成され得る。そして、縫合孔は圧搾部の外形に従って６乃至２０個の間で形成されることが好ましい。
【００２１】
【発明の効果】
上述したとおり、本発明による包茎手術用鋏は、包茎手術のとき出血がなく、又被施術者らに恐怖心を起きさせず、施術が可能であり、且つ施術時間が短いという長所がある。
【００２２】
さらに、本発明によれば包皮を鋏で挟んだ場合、滑りが全く発生しないので便利に一人で施術が可能であり、正確で良好な縫合が可能である。
【図面の簡単な説明】
【図１】  本発明の第１実施形態に従う包茎手術用鋏の斜視図。
【図２】  本発明による鋏を利用して施術する過程を示す図。
【図３】  本発明による鋏を利用して施術する過程を示す図。
【図４】  本発明による鋏を利用して施術する過程を示す図。
【図５】  本発明の第２実施形態に従う包茎手術用鋏の斜視図。
【図６】  図５の包茎手術用鋏の圧搾部の変更例を示す平面図。
【図７】  図５の鋏を用いた施術過程を説明するための図面
【図８】  本発明の第３実施形態に従う包茎手術用鋏の斜視図。
【符号の説明】
１０…第１圧搾部、２０…第２圧搾部、１２、２２…中空部、１５、２５、７４、８４…貫通部、３０…取っ手、３１，３１ａ…支持片、３２…ヒンジ軸、３４…締結部、３４ａ…係止段、１４，２４…縫合孔、１４ａ，２４ａ…切欠溝、８５…案内溝、８７…突出部、７６，８６…滑り防止溝。
【図１】
0003640633.tif 000002
【図２】
0003640633.tif 000003
【図３】
0003640633.tif 000004
【図４】
0003640633.tif 000005
【図５】
0003640633.tif 000006
【図６】
0003640633.tif 000007
【図７】
0003640633.tif 000008
【図８】
0003640633.tif 000009